(57)【特許請求の範囲】
【請求項１】
両面に凹凸を有している基材紙と、
前記基材紙の一方の面に接着された耐油紙と、
前記基材紙の他方の面に接着された、蛍光塗料を含んでいない紙であり、非接着面に必要な情報が印刷されているものを有しており、
両面に凹凸を有している基材紙がエンボス加工品であり、２００〜５００個／１０ｃｍ2の凹凸を有しているものであり、
前記耐油性紙と前記蛍光塗料を含んでいない紙が、前記基材紙の対応する面の凹凸の凸部に水性接着剤で接着されている、緩衝材シート。
【請求項２】
前記蛍光塗料を含んでいない紙が、蛍光塗料を含んでいない上質紙または蛍光塗料を含んでいない上質紙のコート紙である、請求項１記載の緩衝材シート。
【請求項３】
前記蛍光塗料を含んでいない紙の非接着面に印刷された必要な情報が、文字、数字、記号、直線、曲線、図形、模様、絵、写真、色およびこれらの２以上の組み合わせから選ばれるものである、請求項１または２記載の緩衝材シート。
【請求項４】
箱内に油含有食品が入った箱入り油含有食品であって、
前記油含有食品と前記箱蓋の間に請求項１〜３のいずれか１項に記載の緩衝材シートが配置されており、
前記緩衝材シートが、裏面側の耐油紙が前記油含有食品と接触し、前記蛍光塗料を含んでいない紙の必要な情報が印刷された印刷面が表面側になるように配置されているものである、箱入り油含有食品。
【請求項５】
前記蛍光塗料を含んでいない紙の印刷面に印刷された必要な情報が、特定行事、記念日、祝い事のメッセージ、観光地の写真および説明書、油含有食品の説明書から選ばれるものである、請求項４記載の箱入り油含有食品。
【請求項６】
前記蛍光塗料を含んでいない紙の印刷面に印刷された必要な情報が、特定行事、記念日、祝い事のメッセージであり、
前記蛍光塗料を含んでいない紙の印刷面が、さらに購入者が個別に利用するための空白部を有しているものである、請求項４記載の箱入り油含有食品。
【請求項７】
前記油含有食品が、チョコレート、ビスケット、クッキー、ドーナツ、ケーキ、かりんとう、米菓から選ばれるものである、請求項４〜６のいずれか１項に記載の箱入り油含有食品。
【発明の詳細な説明】
【技術分野】
【０００１】
本発明は、一面側に内容物から包装容器への油の染み込みを防止する機能を備えており、他面側に鮮明な印刷面を備えている緩衝材シート、その製造方法、前記緩衝シートを使用した箱入り油含有食品に関する。
【背景技術】
【０００２】
従来の緩衝材シートの例として、特許文献１は、平坦なベース紙にエンボス紙を接着剤で貼り合わせて構成された緩衝紙を開示している。接着剤は、ベース紙の一方の表面に筋状に塗布され、そこにエンボス紙が、エンボスの凸部の一部を接着剤に接触させる形で貼り合わされる。特許文献１は、ベース紙として、クラフト紙以外に、不織布や合成繊維、綿等で形成された布、フィルム等を記載している（段落００２８）。
【０００３】
特許文献２は、クレープ紙を複数積層したもの、または表面にエンボス加工を施した緩衝材の少なくとも片面にシート状物を接着剤で貼り合わせて構成された製袋品を開示している。特許文献２は、シート状物の形態として、紙、布、フィルム、不織布等を記載し、材質として、セルロースが好ましいことを記載している（段落００１２）。
【０００４】
しかしながら、チョコレート、クッキー、ビスケットなどの脂肪分を含有している菓子類、およびファンデーションのような油分を含有している固形化粧品類等の包装容器の用途において、従来の緩衝材シートは、不都合な点が多い。
第１に、特許文献１または２に記載されているような紙や布からなる従来の緩衝材シートは、油分を吸いこむ性質があるので、油分を含む物品に直接接触する場所に配置することができない。
第２に、特許文献１または２に記載されているような紙や布からなる従来の緩衝材シートは、印刷の鮮明性などの点で充分ではない。
【０００５】
また市販されている箱入りのチョコレートやクッキーなどでも、内容物と箱蓋の間に緩衝材シートが配置された状態で販売されていることが通常であり、さらには商品説明、販売元の説明などが記載された印刷物（リーフレット）も緩衝材シートと共に入っていることが多い。
【先行技術文献】
【特許文献】
【０００６】
【特許文献１】特開２００５−１６９７７４号公報
【特許文献２】登録実用新案第３１５２３１９号公報
【発明の概要】
【発明が解決しようとする課題】
【０００７】
本発明は、脂肪分を含有している菓子類、油分を含有している固形化粧品類等の包装容器の用途に使用でき、鮮明な印刷面を有している緩衝材シート、その製造方法、前記緩衝材シートを使用した箱入り油含有食品を提供することを課題とするものである。
【課題を解決するための手段】
【０００８】
本発明は、両面に凹凸を有している基材紙と、
前記基材紙の一方の面に接着された耐油紙と、
前記基材紙の他方の面に接着された、蛍光塗料を含んでいない紙であり、非接着面に必要な情報が印刷されているものを有している、緩衝材シートとその製造方法を提供する。
【０００９】
さらに本発明は、箱内に油含有食品が入った箱入り油含有食品であって、
前記油含有食品と前記箱蓋の間に上記の緩衝材シートが配置されており、
前記緩衝材シートが、裏面側の耐油紙が前記油含有食品と接触し、前記蛍光塗料を含んでいない紙の必要な情報が印刷された印刷面が表面側になるように配置されているものである、箱入り油含有食品を提供する。
【発明の効果】
【００１０】
本発明の緩衝材シートは、蛍光塗料を含んでいない紙の露出面（非接着面）が鮮明な印刷面であり、反対面側に耐油紙であり、中間部に緩衝機能のある凹凸のある基材紙を有している。
このため、箱入り油含有食品内にて使用したとき、箱蓋と食品の間で緩衝材として機能するほか、油含有食品の油が箱蓋に染みこむことを防止できると共に、箱蓋を開けたときに鮮明な印刷面が目に入るため、心地よい美観を付与することができる。
さらに印刷面に様々情報を印刷できるため、商品価値を高めたり、購買意欲を喚起したりすることができるほか、別のものとして使用していた緩衝材とリーフレットを一つにすることができるため、紙資源の節約、商品製造手順の簡略化などもできるようになる。
【図面の簡単な説明】
【００１１】
【図１】本発明の一実施形態による緩衝材シート１の部分断面図である。
【図２】本発明の一実施形態による緩衝材シート１の分解斜視図である。
【発明を実施するための形態】
【００１２】
＜緩衝材シート＞
緩衝材シート１は、両面に凹凸を有している紙（基材紙）１１と、両面に接着された耐油紙１２と蛍光塗料を含んでいない紙１２を有している。
【００１３】
基材紙１１は、凸部１１ａと、凸部１１ａに対応する反対面側の凹部１１ｂからなる凹凸が両面に多数形成されているものである。
凹凸部を有している基材紙１１は、例えば、エンボス加工により凹凸が形成されたものである。
基材紙１１となる紙は、凹凸が形成できるものであればよく、例えば純白紙を使用することができる。
基材紙１１に形成された凹凸の数は、２００〜５００個／１０ｃｍ2の範囲が好ましく、３２０〜４２０個／１０ｃｍ2の範囲より好ましいが、前記範囲に制限されるものではない。
【００１４】
蛍光塗料を含んでいない紙１２は、基材紙１１の一面側の凸部１１ａに接着剤４で接着されている。
蛍光塗料を含んでいない紙１２は、蛍光塗料を含んでいない化学パルプ１００％の洋紙（上質紙）であるか、または前記蛍光塗料を含んでいない上質のコート紙であるものが好ましい。
蛍光塗料を含んでいない紙（上質紙）１２は、王子製紙（株）のＯＫプリンス上質、日本製紙グループのしらおい（登録商標）、北越製紙（株）の金毬（登録商標）、三菱製紙（株）の金菱（登録商標）など（但し、いずれも非コート紙である）を使用することができる。
【００１５】
蛍光塗料を含んでいない紙１２は、第２面１２ｂ側が基材紙１１と接着されており、反対側の第１面（非接着面）１２ａには、必要な情報が印刷されている。
必要な情報は特に制限されるものではなく、文字、数字、記号、直線、曲線、図形、模様、絵、写真、色およびこれらの２以上の組み合わせから選ばれるものから表現されるものである。なお、前記の色は、２色以上の組み合わせであることが好ましいが、使用目的などによっては、単色であっても特別な意味を持つ場合もあるため、単色の場合も含まれる。
なお、従来箱入り商品で使用しているリーフレットの内容も蛍光塗料を含んでいない紙１２の第１面１２ａに印刷できるため、別にリーフレットを使用する必要がなくなる。
【００１６】
耐油紙１３は、第２面１３ｂ側が基材紙１１の他面側の凸部１１ａに接着剤１４で接着されており、反対側の第１面１３ａは露出されている。
耐油紙１３は、油（油脂、脂肪酸）に対する耐久性を有している紙であり、公知のものである。
耐油紙１３としては、天間特種製紙製（株）の耐油紙、日本製紙製（株）のグラシン紙（チョコグラシン紙、白グラシン紙）、パラフィン紙などを使用することができる。
【００１７】
接着剤１４は、水溶性タイプの接着剤と、水を含むエマルションタイプ（水性エマルションタイプ）の接着剤を含むものが好ましく、公知のものを使用することができる。
水性接着剤としては、ボンドＳＰ２８５０Ｎ（酢酸アクリル系、コニシ株式会社）、ボンドＳＰ２２０Ｎ（酢酸ビニルアクリル系、コニシ株式会社）、ライフボンドＶＰ−１１（アクリル系、日栄化工株式会社）、ライフボンドＶＰ−３８（アクリル共重合樹脂水性エマルション、日栄化工株式会社）、ポリビニルアルコール系接着剤、ポリ酢酸ビニル系水系エマルジョン、アクリル酸エステル・酢酸ビニル共重合樹脂水系エマルジョンなどを使用することができる。
【００１８】
緩衝材シート１の厚み（両面の凸部１１ａ間の厚み）は特に制限されるものではないが、１〜５ｍｍの範囲内であることが好ましい。
緩衝材シート１の大きさや形状は、用途に応じて選択することができる。
【００１９】
＜緩衝材シートの製造方法＞
次に、図１、図２により緩衝材シート１の製造方法を説明する。
予め蛍光塗料を含んでいない紙１２の一面１２ａ側に必要な情報を印刷する。印刷方法は、オフセット印刷またはデジタル印刷を適用することができる。
蛍光塗料を含んでいない紙１２は、ロールに巻き取られた状態のものでもよいし、一枚ずつ別々になったものでもよい。
蛍光塗料を含んでいない紙１２がロール状に巻き取られた状態のものの場合には、一つのロールで同じ情報（必要な情報）が印刷されたものでもよいし、一つのロールで異なる複数の情報（必要な情報）が印刷されたものでもよい。
【００２０】
第１工程にて、基材紙１１の一面と耐油紙１３を接着して二層構造のシートを得る。
基材紙１１は、原料紙（例えば、純白紙）の両面に周知のエンボス加工などで凹凸を形成して製造することができる。
基材紙１１の接着面の凹凸１１ａ、１１ｂには、予め接着剤を塗布しておく。塗布方法は、刷毛塗り法、転写ローラーを使用した塗布法、特開２００５−１６９７７４号公報に記載の緩衝紙製造装置１を使用した塗布方法などを適用することができる。
また、基材紙１１の接着面の凹凸１１ａ、１１ｂに接着剤を塗布しながら、基材紙１１と耐油紙１３を貼り合わせることもできる。
耐油紙１３がロール状に巻き取られたものであるときは、基材紙１１もロール状に巻き取られたものを使用して、それぞれを連続的に送り出しながら接着することができる。
【００２１】
第２工程において、第１工程で得た二層構造のシートの基材紙１１の反対側の露出面に蛍光塗料を含んでいない紙１２を貼り合わせて緩衝材シート１を得る。
第２工程では、第２工程で得た二層構造のシートを連続的に送りながら、それに合わせて蛍光塗料を含んでいない紙１２を連続的に送りながら貼り合わせる方法を適用することができる。
基材紙１１の露出面（耐油紙１３が貼り付けられていない面）の凹凸１１ａ、１１ｂには、第１工程と同様にして予め接着剤を塗布しておく。
また、基材紙１１の露出面の凹凸１１ａ、１１ｂに接着剤を塗布しながら、基材紙１１と蛍光塗料を含んでいない紙１２を貼り合わせることもできる。
なお、本発明の製造方法では、第１工程において基材紙１１と蛍光塗料を含んでいない紙１２を貼り合わせた後、第３工程にてさらに耐油紙１３を貼り合わせることもできる。
第３工程後、必要に応じて用途に応じた大きさに切断する。
【００２２】
基材紙１１の露出面（耐油紙１３が貼り付けられていない面）の凹凸１１ａ、１１ｂに接着剤を塗布するときは、基材紙１１の一面の周縁部には全面に接着剤を塗布し、前記周縁部を除いた内側部にはドット状に接着剤を塗布することができる。
前記周縁部の全面に接着剤を塗布すると、基材紙１１と蛍光塗料を含んでいない紙１２が剥がれにくくなるので好ましく、前記内側部にドット状に接着剤を塗布すると、印刷面１２ａの平滑性が高くなり、印刷部分がきれいになるので好ましい。
前記のようにドット状に水溶性接着剤を塗布する方法としては、シルク印刷法を適用することができる。
なお、上記の基材紙１１の周縁部の幅は特に制限されるものではないが、０．５〜２ｃｍ程度の幅にすることができる。
【００２３】
＜箱入り油含有食品＞
本発明の箱入り油含有食品は、本発明の緩衝材シート１を使用したものである。
油は、油脂（植物油脂と植物油脂）、脂肪酸（飽和脂肪酸と不飽和脂肪酸）を含むものである。
油含有食品は、前記油を含む食品であり、前記油を含む菓子、前記油を使用して調理した菓子などを挙げることができる。
油含有食品は、チョコレート、ビスケット、クッキー、ドーナツ、ケーキ、かりんとう、米菓などから選ばれるものを挙げることができるが、これらに限定されるものではない。
【００２４】
箱入り油含有食品は、箱内に入れた油含有食品と箱蓋の間に本発明の緩衝材シート１が配置されている。
緩衝材シート１は、裏面側の耐油紙１３が前記油含有食品と接触し、コート紙１２の必要な情報が印刷された印刷面１２ａが表面側になるように配置されている。
緩衝材シート１の耐油紙１３が油含有食品と接触しているので、箱蓋の内側に油が染み込むことがなくなる。
また、箱入り油含有食品の箱蓋を開けたとき、最初に緩衝材シート１のコート紙１２の印刷面１２ａが目に入るため、印刷面１２ａに印刷された必要な情報が必ず目に入ることになる。
なお、箱底と油含有食品の間には、耐油紙、耐油性のあるプラスチックフィルムまたはプラスチック容器（蓋はない）のほか、スポンジ、油を吸収できる紙などが配置されている。
【００２５】
印刷面１２ａに印刷された必要な情報は、上記した文字、数字、記号、直線、曲線、図形、模様、絵、写真、色およびこれらの２以上の組み合わせから選ばれるものから表現されるものであるが、箱入り油含有食品の用途などに応じて適したものすることができる。
箱入り油含有食品が贈答品であるときは、例えば、クリスマス、バレンタインデー、ハロ−ウィンデーのような行事、誕生日、結婚記念日、母の日、父の日、敬老の日、銀婚式、金婚式、結婚祝い、新築祝い、入学祝い、卒業祝い、入社祝いなどの各種記念日および祝い事、お中元、お歳暮などに適したメッセージおよび絵または写真などを印刷することができる。
【００２６】
箱入り油含有食品がお土産品であるときは、各地の観光地、動物園、水族館、植物園、遊園地、博物館、美術館、各種の展示会の写真および説明書などを印刷することができる。
また、油含有食品の説明書、製造または販売会社の説明書きなどを印刷することができる。
さらに一つの箱入り油含有食品が複数種類の油含有食品からなるものの場合には、緩衝材シート１の印刷面１２ａに種類ごとの説明を印刷することができる。例えば、箱内部が紙、薄板、プラスチックなどからなる仕切り材を使用して１２のマス目に仕切られており、１２のマス目に１２個の種類の異なるチョコレートやクッキーが入っているような場合は、緩衝材シート１として、印刷面１２ａに１２のマス目に対応する位置に１２種類のチョコレートの説明書を印刷したものを使用して、それを１２種類のチョコレートのそれぞれの位置に合わせて配置することもできる。
このとき、例えば箱底と油含有食品の間に配置したシートに目印を形成し、緩衝材シート１にも前記目印と同じ位置に目印を形成して、前記の２つの目印同士が一致するように緩衝材シート１を配置すれば、開封して一旦は緩衝材シート１を取り除いた後でも、再度同じ位置に緩衝材シート１を配置することができるようになる。
【００２７】
その他、例えば購入者がチョコレートやクッキーなどを選択して購入した後、箱詰めしてもらうような販売形態の場合には、購入者が印刷面１２ａの印刷内容が異なる多数の種類の中から使用する緩衝材シート１を選択できるようにすることができる。
さらに前記のように購入者が緩衝材シート１を選択できる場合には、緩衝材シート１として、コート紙１２の印刷面１２ａに必要な情報が印刷された部分と印刷されていない部分（空白部）があるものを使用して、前記空白部に購入者が個別にメッセージを記入したり、写真を貼り付けたりできるようにすることもできる。
【００２８】
また、従来の箱入り商品で使用しているリーフレットの内容も緩衝材シート１に印刷できるため、別にリーフレットを使用する必要がなくなる。
このため、リーフレット分の紙資源が節約できることは勿論のこと、リーフレットは読まずに捨てられることもあるが、緩衝材シート１であれば箱蓋を開けると必ず目に入ること、食品が残っている間は捨てられることがないことから、製造者から購買者への情報の伝達力が高められることになる。
さらに商品ごとに箱内に１枚ずつリーフレットを入れる作業が不要になること、リーフレットの管理が不要になることなどの利点もある。
【００２９】
本発明の緩衝材シート１は、上記した箱入り油含有食品の緩衝材シートとして使用できるほか、ファンデーションのような油分（脂肪酸、油脂など）を含有している固形化粧品類などにも使用することができる。
【実施例】
【００３０】
実施例１
コート紙１２は、印刷面１２ａに花の絵を印刷した（図２）。
純白紙（坪量４０ｇ／ｍ2）に水蒸気を当てて柔らかくした後で両面にエンボス加工して、多数の凹凸のある基材紙１１を得た（一面側の凸部１１ａの数は約３７０個／１０ｃｍ2）。
次に、基材紙１１の両面に水溶性接着剤（アクリル酸エステル・酢酸ビニル共重合樹脂水系エマルジョン）を刷毛で塗布した。
その後、図２に示すように水溶性接着剤を塗布した基材紙１１の両面に蛍光塗料を含んでいない上質紙１２（日本製紙グループ（株）のしらおい（登録商標））と耐油紙１３（天間特種製紙（株）製の耐油紙）を貼り合わせた。
その後、１５ｃｍ×２０ｃｍの大きさに裁断して、凸部間の厚みが約２．５ｍｍの本発明の緩衝材シート１（図１）を得た。
【００３１】
内部を仕切り材で１２個のマス目に仕切った蓋付きの紙箱を用意した。
１２個のマス目に１２個のチョコレートを入れた後、チョコレートと蓋の間に緩衝材シート１を印刷面が表になるように入れて蓋を閉めた。
その状態で約１分間、箱を上下に１０ｃｍの間隔で揺らし続けた後、蓋を開けて見たが、箱蓋の内側と箱底には、脂肪の染みは認められず、チョコレートにも破損は認められなかった。
また蓋を開けたときは、最初にきれいな花の絵が目に入ったため、快い感覚が得られた。
【符号の説明】
【００３２】
１  緩衝材シート
１１  基材紙
１１ａ  凸部
１１ｂ  凹部
１２  蛍光塗料を含んでいない紙
１２ａ  印刷面
１２ｂ  接着面
１３  耐油紙
１４  接着剤
【図１】
0006718674.tif 000002
【図２】
0006718674.tif 000003